(57)【要約】      （修正有）【課題】車椅子の人が立って持つハンドルの高さと前後の位置との調節を可能とする。【解決手段】上段枠と下段枠とを４本のパイプ柱で上下につなぎ、その上段枠上の前後左右の４個所に短尺チャンネルＹＫを固着し、その短尺チャンネルに矢倉パイプＹの下端に固着させた接続板片を固定する事で矢倉パイプの上端を上段枠の中心上に分散配置し、配置させた上端に固定する二つの外輪溝付きベアリングＹＲＭ,ＹＲＨそれぞれに架けた右紐ＨＭと左紐ＨＨとの一方は車椅子の人に付け、他の一方は上段枠上に固定する上段板ＵＰ上の長尺シャフトＳＳに付けた２個の溝付きリングＲＭ,ＲＨに架け下げし、下げた右紐と左紐とで吊り下げる大布袋Ｗに入れる各小袋の重さで車椅子の人を立たせ、右紐と左紐とで吊り下がる大布袋を右巻紐と左巻紐とで吊り下げて電動で上下し車椅子の人も上下させる。【選択図】図２
2020081362.tif 000002
【特許請求の範囲】
【請求項１】
チャンネル材を2本並べた先端部を2本のアングル材でつなぎ固着させた枠組みを、ふた組のそれぞれを上段枠と下段枠とし、それら上段枠と下段枠との先端部それぞれの上面に上段板と下段板とを固定し、その下段枠のチャンネル材の後端面に直角に曲げた平角棒を固定し、その直格に曲げた平角棒の上面と下段板上の左右双方に固定する平角板の上面との4個所それぞれに固着する下接続パイプの内径内にパイプ柱を入れて直立に固定し、それら各パイプ柱の上端部に固定する各上接続パイプの上端面に各下アングル金物を固着し、上段枠で左右双方のチャンネル材の後端部分に載せる短尺アングル上金物とチャンネル材の後端部と短尺アングル下金物との重なりの上下をボルトで貫通固定し、その上段枠を補強する湾曲補強材の両端部を左右双方の短尺アングル下金物と短尺アングル上金物とに固定し、上段枠上で左右双方の短尺アングル上金物の上面と上段板上の左右双方の上面との4個所に固着させる短尺チャンネルそれぞれに各矢倉パイプの下端に固着させた接続板片を固定する事で各矢倉パイプの上端それぞれを上段枠の中心上に分散配置し、配置させた右側の矢倉パイプの上端を右異形アングルの下辺に固定し、左側の上端は左異形アングルの下辺に固定し、それら右異形アングルと左異形アングルとの縦の中溝それぞれに両端部を嵌め入れて固定する矢倉ボルトには右外輪溝付きベアリングと左外輪溝付きベアリングとを固定し、車椅子の人の右装着帯と左装着帯とに付ける右紐と左紐とを右外輪溝付きベアリングと左外輪溝付きベアリングとに架け下げて上段板上の長尺シャフトに固定する右溝付きリングと左溝付きリングとにも架け下げる右紐と左紐とで上段板下の大布袋を吊り下げし、そして複数個のショット玉を入れた1ｋｇ袋又は3ｋｇ袋等の各小袋を車椅子の人が立てるまで入れた大布袋の重さを介護補助力とし、左端部をベアリングユニットで固定する長尺シャフトの右端部を保持する減速機にはブレーキ付きギアモータを連結し、その長尺シャフトに固着する右巻きドラムと左巻きドラムとに巻き下げる右巻き紐と左巻き紐とで大布袋を吊り下げし、上段板上の中心位置に前後を開放する状態で固定する不等辺角管の横内幅と同寸法の外径を有する高さ維持パイプの複数を不等辺角管内に積み重ねて固着し、それら各高さ維持パイプの内径芯それぞれの右側面と接して重なる不等辺角管の各右側面とに横穴を貫通し、それら各横穴それぞれの不等辺角管の右外側面に各ナットを固着し、それら各ナットにねじ入れる各クランプノブの先端を各高さ維持パイプの内周面の内側に出せるようにし、その高さ維持パイプの内径内に差し入れる外輪パイプの外周に複数の外周溝を一周加工し、その外輪パイプの内径内に回転自在に固定するシャフトの前端部分にハンドル部材を固定する事でシャフトと外輪パイプとハンドルとを一体にし、車椅子の人が立った状態で掴むハンドルの最適な高さの維持パイプに外輪パイプを入れる事でハンドルの高さを最適にし、さらにハンドルに最適な位置の外周溝にクランプノブの先端を押し入れる事でハンドルの前後位置を最適にし、さらにハンドルの左右それぞれに固定する右巻き輪と左巻き輪とに巻き下げて両膝関節に連結する右膝紐と左膝紐との中間部分それぞれに複数の引張コイルバネを付けて上下する足の衝撃を緩和し、そして正転スイッチで回すブレーキ付きギアモータの回転は減速機を介して回す長尺シャフトに固着させた右ドラムと左ドラムとに巻き下がる右巻紐と左巻紐との下端に付けた大布袋は低速で上昇し、その上昇で右紐と左紐との下端のフックは車椅子の人の眼前まで下がり、そこで押す停止スイッチで各フックを車椅子の人の左右の装着帯に架け留めし、そこで逆転スイッチで下がる大布袋の重さで天秤対称の車椅子の人はゆっくり立ち上がった状態で停止スイッチを押し、その状態でハンドルを握る両手を左右交互に上下させて足踏みし、車椅子の人が立って握るハンドルの高さと前後位置とを調節し、電動で上下させる大布袋の重さと天秤の車椅子の人を立ち座りさせて介護補助力を計測し立ち上がる脚力を計算できる電動リハビリ足踏み機。
【発明の詳細な説明】
【技術分野】
【０００１】
介護に便利で安全で安心な車椅子、しかし車椅子に長時間も座った状態を長い年月つづける事で尾てい骨の回りの毛細血菅網は消失し、その消失範囲の広がりで神経網も消失し、その消失範囲や介護補助力の増加と年月とのグラフは作成がされた事が無い、高齢になり安全の為に車椅子を利用し始めの頃は介護補助力が3ｋｇ程度でも半年もすれば10ｋｇになり2〜10年もすれば30ｋｇ以上になる可能性もあり毛細血菅網や神経網等も相当に消失し、それら年数とともに変化する消失速度をグラフにする必要はあり、体重が45ｋｇのか細い介護者が30ｋｇの介護補助力の被介護者を寝台から車椅子へ移す介護作業を日々数回行う事で腰痛になった場合、介護者は失業し介護者の家族が破綻する可能性がある為、20ｋｇ以上の被介護者の胸には3センチの黄色の花びら生地をボタン留めし、介護補助力が30ｋｇ以上の人の胸には赤の花びらをボタン留めし、赤の花びらの被介護者の体重移動の場合には2人の介護者で作業する印にする。
【背景技術】
【０００２】
1日の座る時間が最大の通学をする車椅子の子供は医師の診察で綿密なリハビリ計画で歩けるようになる可能性を感じる又は身体的改善が期待できる可能性を感じる子供達を特殊な学校に集め、勉強する場合もそれぞれの子供の体に最適な姿勢で例えば寝転がる等の状態で3時間の自由な学び方をし、さらに常駐する針師やマツサージ師や栄養士等と日々5時間のリハビリをしながらでも勉強は可能であり、1年後または卒業後には走り回って遊ぶような子供にする、そんなリハビリ治療をしながら学べる学校をいつか誰かが作る。
【先行技術文献】
【特許文献】
【０００３】
【特許文献１】特願2018−168600
【発明の概要】
【発明が解決しようとする課題】
【０００４】
病院では様々な体格の車椅子の人が立って握るハンドルの高さと前後位置とを調節する必要があり、さらに両膝関節から上の体の重さと天秤対称の大布袋の上下操作を電動にする事で看護師の負担を少しでも軽減させる。
【課題を解決するための手段】
【０００５】
上記目的を達成する為に電動リハビリ足踏み機を説明する、並べて置く2本のチヤンネル材の前部分の間を2本のアングル材でつないで固着させた枠組みを、ふた組それぞれを上段枠と下段枠とし、それら枠組みの前部分の上面それぞれに上段板と下段板とを固定した。
【０００６】
下段枠のチャンネル材の後端面を塞ぐ直角に曲げた平角棒を後端面に固定し、その直角に曲げた平角棒の上面と下段板上の左右双方に固定する平角板の上面との4個所それぞれに下接続パイプを立てて固着し、それら各下接続パイプの内径内それぞれに各パイプ柱を差し入れて直立に固定し、それら各パイプ柱の上端部に固定する各上接続パイプの上端面それぞれに短尺アングル下金物を固着した。
【０００７】
上段枠でチャンネル材の左右それぞれの後端部に載せる短尺アングル上金物とチャンネル材と短尺アングル下金物と湾曲補強材の両端部に固着する板片部分との重なりの上下をボルトで貫通固定し、その湾曲補強材の両端部を短尺アングル下金物の左右双方の後端面に固着する板片ナットにボルト固定し湾曲補強材でつながる上段枠を補強した。
【０００８】
上段枠上で左右双方の短尺アングル上金物の上面と上段板上の左右双方の上面との4個所に固着させる短尺チャンネルそれぞれに矢倉パイプの下端に固着させた接続板片をボルト固定する事で4本の矢倉パイプの上端それぞれを上段枠の中心上に分散配置し、配置させた右側の矢倉パイプの上端を右異形アングルの下辺に固定し、左側の上端は左異形アングルの下辺に固定し、それら右異形アングルと左異形アングルとの縦の中溝それぞれに矢倉ボルトの両端部を嵌め入れてボルトで固定し、その矢倉ボルトに右外輪溝付きベアリングと左外輪溝付きベアリングとを固定した。
【０００９】
車椅子の人の右装着帯と左装着帯とに付ける右紐と左紐とを右外輪溝付きベアリングと左外輪溝付きベアリングとに架けて下げ、下げた右紐と左紐とを上段板上で真横に配置させる長尺シャフトに固定する右溝付きリングと左溝付きリングとに架け下げて上段板下の大布袋を吊り下げし、そして複数個のショット玉を入れた1ｋｇ袋又は3ｋｇ袋等の各小袋を天秤対称の車椅子の人が立てるまで大布袋に入れ、立てた大布袋の重さを介護補助力とした。
【００１０】
上段板上の長尺シャフトの左端部はベアリングユニットに固定し、右端部を保持する減速機にはブレーキ付きギアモータを連結し、その長尺シャフトに固着する右巻きドラムと左巻きドラムとは右溝付きリングの左側と左溝付きリングの右側とに位置する。
【００１１】
上段板上の中心位置に不等辺角管を前後が開放する状態で固定し、不等辺角管の横の内幅と同寸法の外径の高さ維持パイプの複数を不等辺角管内に積み重ねて固着し、それら各高さ維持パイプの内径芯の高さの右側面と接する不等辺角管の各右側面との重なりそれぞれに横穴を貫通し、それら各横穴に合せて各ナットを不等辺角管の右外側面に固着し、それら各ナットそれぞれにねじ入れる各クランプノブの先端を各高さ維持パイプの内周面の内側に出せるようにした。
【００１２】
各高さ維持パイプの内径内に差し入れできる外輪パイプの外周には複数の各外周溝を一周加工し、その外輪パイプの内径内に差し入れて回転自在に固定させるシャフトの前端部にハンドル部材を取り付けてハンドルと外輪パイプとシャフトとを一体にし、一体の外輪パイプ部分を最適な高さの高さ維持パイプに差し入れる事でハンドルの高さを最適にし、その外輪パイプの複数の外周溝で最適な前後位置の外周溝にクランプノブの先端をねじ入れ当てる事でハンドルを最適な前後位置に固定し、そのハンドルの左右それぞれに固着させる右巻き輪と左巻き輪とに巻き下げる右膝紐と左膝紐とを両膝関節の左右双方に連結し、それら右膝紐と左膝紐との中間位置それぞれに複数の引張コイルバネを取り付けた。
【００１３】
正転スイッチで回るブレーキ付きギアモータの回転は減速機を介して長尺シャフトを回し、その長尺シャフトに固着する右巻きドラムと左巻きドラムとに巻き下がる右巻紐と左巻紐との下端に付けた大布袋は低速で上昇し、上昇する大布袋を吊り下げる右紐と左紐との天秤対称位置の下端のフックは患者の眼前に下がり、そこで停止スイッチで停止させる各フックを車椅子の人の左右の装着帯に架け留め、そこで逆転スイッチで下がる大布袋の重さで天秤対称の車椅子の人はゆっくり立ち上がり、立った状態で停止ボタンを押し、そこでハンドルを握る両手の左右双方を交互に上下する事でハンドルの右巻き輪と左巻き輪とに連結する両膝関節は左右双方に交互に上下し足踏みし、車椅子の人が立って握るハンドルの高さと前後の位置とを調節し、電動で上下させる大布袋の重さで車椅子の人を立ち座りさせて介護補助力を計測し立ち上がる脚力を計算できる電動リハビリ足踏み機。
【発明の効果】
【００１４】
病院のように様々な体格の人の介護補助力を測定し立ち上がる脚力を計算し左右の足を上げる筋力を推定する等の診察手間を少しでも軽減する為に電動にし、さらに車椅子の人が立って両手で握るハンドルの高さと前後の位置とを調節できるようにして多くの患者に対応できるようにし、さらに両膝関節から上の体の重さがゼロｋｇの状態では長時間の足踏みでも足は疲れにくく、その足踏みのリハビリで尾てい骨回りの毛細血菅網や神経網が少しでも回復する可能性がある。
【図面の簡単な説明】
【００１５】
【図１】上段枠と下段枠との斜視図
【図２】電動リハビリ足踏み機の斜視図
【図３】電動リハビリ足踏み機の側面図
【図４】湾曲補強材を取り外した状態の電動リハビリ足踏み機の背面図
【図５】不等辺角管内に積み重ねた外輪パイプの1本にシャフトを入れた状態の断面図
【図６】ハンドルの断面図と部品図
【図７】上段枠の後端部の分解部品斜視図
【図８】下段枠の後端部の分解部品斜視図
【図９】大布袋と右布袋と左布袋との斜視図と一部断面図と装着帯の一部説明図
【発明を実施するための形態】
【００１６】
本発明の一実施形態に係る電動リハビリ足踏み機を説明する、並べて置く2本のチャンネル材Tの前部分の間を2本のアングル材TAでつないで固着させた枠組みを、ふた組のそれぞれを上段枠と下段枠とし、それら上段枠と下段枠との前部分の上面それぞれに上段板UPと下段板CPとを載せて固定した。
【００１７】
下段枠のチャンネル材Tの後端面を塞ぐ直角に曲げた平角棒TMを後端部に載せて固定し、その直角に曲げた平角棒TMの上面と下段板CP上の左右双方に固定する平角板CPPの上面との4個所それぞれに立てて固着する各下接続パイプCSPの内径内それぞれに各パイプ柱PHを差し入れて直立に固定し、それら各パイプ柱PHの上端部に固定する各上接続パイプUSPの上端面それぞれに各短尺アングル下金物TACを固着した。
【００１８】
上段枠でチャンネル材Tの左右それぞれの後端部に載せる短尺アングル上金物TAUと短尺アングル下金物TACとでチャンネル材Tの後端部を挟んだ重なりを上下にボルトで貫通固定し、その短尺アングル下金物TACの左右双方の後端面に固着する板片ナットPNに湾曲補強材WHの両端部をボルト固定し、さらに湾曲補強材WHの両端部に固着させた板片部分WPを左右双方それぞれの短尺アングル上金物TAUに載せてボルトで固定し上段枠を補強した。
【００１９】
上段枠上で左右双方の短尺アングル上金物TAUの上面と上段板UP上の左右双方の上面との4個所に固着させる短尺チャンネルYKそれぞれに矢倉パイプYの下端に固着させた接続板片YSをボルト固定する事で4本の矢倉パイプYの上端それぞれを上段枠の中心上に分散配置し、配置させた右側の矢倉パイプYの各上端を右異形アングルYAMの下辺にボルト固定し、左側の各上端は左異形アングルYAHの下辺にボルト固定し、それら右異形アングルYAMと左異形アングルYAHとの縦の中溝YANそれぞれに矢倉ボルトYBの両端部を嵌め入れてボルトで固定し、矢倉ボルトYBに右外輪溝付きベアリングYRMと左外輪溝付きベアリングYRHとを固定した。
【００２０】
車椅子の人の右装着帯EMと左装着帯EHとに付ける右紐HMと左紐HHとを矢倉ボルトYBの右外輪溝付きベアリングYRMと左外輪溝付きベアリングYRHとに架けて下げ、下げた右紐HMと左紐HHとを上段板UP上で真横に配置させた長尺シャフトSSに固定する右溝付きリングRMと左溝付きリングRHとに架け下げて上段板UP下を上下させる大布袋Wを吊り下げし、そして複数個のショット玉を入れた1ｋｇ袋1G又は3ｋｇ袋3G等の小袋を天秤対称の車椅子の人が立てるまで大布袋Wに入れる事で立たせ、立てた大布袋Wの重さを介護補助力とした。
【００２１】
上段板UP上の長尺シャフトSSの左端部をベアリングユニットBYで固定し、右端部を保持する減速機MGにはブレーキ付きギアモータMを連結し、その長尺シャフトSSに固定する右溝付きリングRMの中心側に右紐巻きドラムRDMを固着し左溝付きリングRHの中心側には左紐巻きドラムRDHを長尺シャフトSSに固着した。
【００２２】
上段板UP上の中心位置に不等辺角管Fを前後が解放する状態で固定し、その不等辺角管Fの横の内幅と同寸法の外径を有する高さ維持パイプFTの複数を不等辺角管F内に積み重ねて固着し、それら各高さ維持パイプFTの内径芯の高さの右側面と接する不等辺角管Fの各右側面との重なりをレーザーで横穴を貫通し、それら各レーザーの横穴それぞれに各ナットFNの穴を合せて不等辺角管Fの右外側面に各ナットFNを固着し、それら各ナットFNそれぞれにねじ入れる各クランプノブFNKの先端を各高さ維持パイプFTの内周面の内側に出せるようにした。
【００２３】
各高さ維持パイプFTの内径内に差し入れる外輪パイプSWの外周に複数の外周溝SWMを一周加工し、その外輪パイプSWの内径内に差し入れて回転自在に固定するシャフトSの前側の先端部にハンドルQH部材等を取り付ける事でハンドルQHと外輪パイプSWとシャフトSとを一体にし、車椅子の人が立って両手で握るハンドルQHの最適な前後の位置の外周溝SWMにクランプノブFNKの先端をねじ入れ当ててハンドルQHの前後位置を最適にし、さらに外輪パイプSWを最適な高さの高さ維持パイプFTに差し入れる事でハンドルQHの高さを最適にし、そのハンドルQHの左右それぞれに固定する右巻き輪QHMと左巻き輪QHHとに巻き下げる右膝紐QQMと左膝紐QQHとを両膝関節の左右双方に連結し、さらに足踏みする足への衝撃を緩和する為に右膝紐QQMと左膝紐QQHとの中間それぞれに複数の引張コイルバネQWを取り付けた。
【００２４】
上段枠上の右側の正転スイッチで回すブレーキ付きギアモータMの回転は減速機MGを介して長尺シャフトSSを回し、回る長尺シャフトSSに固着する右巻きドラムRDMと左巻きドラムRDHとに巻き下げる右巻き紐DMと左巻き紐DHとに連結する大布袋Wは低速で上昇し、上昇する大布袋Wに連結させた右紐HMと左紐HHとの下端のフックFは車椅子の人の眼前にまで下がり、そこで停止スイッチで大布袋Wの上昇とフックFの下降を止め、そこでフックFを車椅子の人の右装着帯EMと左装着帯EHとに架け留め、そこで逆転スイッチで下がる大布袋Wの重さで天秤対称の車椅子の人がゆっくり立ち上がった時に停止スイッチを押して立った状態を維持し、その状態でシャフトSを支点にするハンドルQHの左右を握る両手を交互に上げ下げする事でハンドルQHに固定させた右巻き輪QHMと左巻き輪QHHとに巻き下がる右膝紐QQMと左膝紐QQHとに連結させた両膝関節は左右交互に上下し足踏みし、そのハンドルQHの高さと前後の位置とを調節し、右紐HMと左紐HHと右巻き紐DMと左巻き紐とに吊り下がる大布袋Wを電動で上下操作させて大布袋Wと天秤の車椅子の人の介護補助力を測定し立ち上がる脚力を計算し、さらに引張コイルバネQWの伸縮状態で足踏みの足を上げる筋力を推定できる電動リハビリ足踏み機。
【符号の説明】
【００２５】
T      チャンネル材
TA    アングル材
UP    上段板
CP    下段板
M      ブレーキ付きギアモータ
MG    減速機
MY    ベアリングユニット
TM    直角に曲げた平角棒
USP    上接続パイプ
CSP    下接続パイプ
TN      点付け溶接ナット
TNA    点付け溶接穴
TMN    ナット平角棒
PH      パイプ柱
TAU    短尺アングル上金物
TAC    短尺アングル下金物
PN      板片ナット
WH    湾曲補強材
WP    湾曲補強材の両端部に固着させた板片
Y      矢倉パイプ
YK    短尺チャンネル
YS    矢倉パイプの下端に固着させた接続板片
YN    矢倉パイプの上端に固着させた上端ナット
YAM  右異形アングル
YAH  左異形アングル
YAN  左右それぞれの異形アングルの中溝
YB    矢倉ボルト
YRM  右外輪溝付きベアリング
YRH  左外輪溝付きベアリング
EM    右装着帯
EH    左装着帯
EV    膝関節装着帯
HM    右紐
HH    左紐
FF    右紐と左紐との下端に付けたフック
RM    右溝付きリング
RH    左溝付きリング
W    大布袋
1G    ショット玉を1ｋｇ入れた小袋
2G    ショット玉を2ｋｇ入れた小袋
3G    ショット玉を3ｋｇ入れた小袋
5G    左官用の珪砂を5ｋｇ入れた袋
GW    角形状に組合せたU字溝を有する異形アングル枠
GN    大布袋の上端部の布生地を複数回巻重ねた平角棒
HHH  複数回巻重ねた布生地を手縫いするハイテク繊維糸
GU    U字溝を有する異形アングルのU字溝
F      上段板上の中心に配置する不等辺角管
FT    不等辺角管内に積み重ねる高さ維持パイプ
FN    不等辺角管の右側面に固着するナット
FNK  クランプノブ
SW    内径内にシャフトを固定する外輪パイプ
SWM  外輪パイプの外周に一周させた複数の外周溝
S      シャフト
SQ    シャフトの先端部に固着させた第一パイプ
SQQ  第一パイプの先端部の内径内に固着させた第2パイプ
SKN  第一パイプの先端部の外周に固着させた異形ナット
SKB  異形ナットにねじ入れてハンドルの回転を止めるナット
SKA  回転止めナットの先端をねじ入れる右巻き輪と左巻き輪との側面に開けた穴
SQB  第2パイプの先端に固着させた短尺ボルト
SQN  短尺ボルトにねじ留めるナット
QH    第2パイプの外径に回転自在に嵌め被せたハンドル
QHM  ハンドルに固着させた右巻き輪
QHH  ハンドルに固着させた左巻き輪
QQM  右巻き輪に巻き留めた右膝紐
QQH  左巻き輪に巻き留めた左膝紐
QW    右膝紐と左膝紐との長さの中間に付けた複数の引張コイルバネ
QWH  引張コイルバネが許容長さ以上に伸びないようにする紐部分
QWK  引張コイルバネの両端に付けた取り付け金物
【図１】
2020081362.tif 000003
【図２】
2020081362.tif 000004
【図３】
2020081362.tif 000005
【図４】
2020081362.tif 000006
【図５】
2020081362.tif 000007
【図６】
2020081362.tif 000008
【図７】
2020081362.tif 000009
【図８】
2020081362.tif 000010
【図９】
2020081362.tif 000011
【手続補正書】
【提出日】平成31年1月21日(2019.1.21)
【手続補正１】
【補正対象書類名】明細書
【補正対象項目名】全文
【補正方法】変更
【補正の内容】
【発明の詳細な説明】
【技術分野】
【０００１】
介護に便利で安全で安心な車椅子、しかし車椅子に長時間も座った状態を長い年月つづける事で尾てい骨の回りの毛細血菅網は消失し、その消失範囲の広がりで神経網も消失し、その消失範囲や介護補助力の増加と年月とのグラフは作成がされた事が無い、高齢になり安全の為に車椅子を利用し始めの頃は介護補助力が3ｋｇ程度でも半年もすれば10ｋｇになり2〜10年もすれば30ｋｇ以上になる可能性もあり毛細血菅網や神経網等も相当に消失し、それら年数とともに変化する消失速度をグラフにする必要はあり、体重が45ｋｇのか細い介護者が30ｋｇの介護補助力の被介護者を寝台から車椅子へ移す介護作業を日々数回行う事で腰痛になった場合、介護者は失業し介護者の家族が破綻する可能性がある為、20ｋｇ以上の被介護者の胸には3センチの黄色の花びら生地をボタン留めし、介護補助力が30ｋｇ以上の人の胸には赤の花びらをボタン留めし、赤の花びらの被介護者の体重移動の場合には2人の介護者で作業する印にする。
【背景技術】
【０００２】
1日の座る時間が最大の通学をする車椅子の子供は医師の診察で綿密なリハビリ計画で歩けるようになる可能性を感じる又は身体的改善が期待できる可能性を感じる子供達を特殊な学校に集め、勉強する場合もそれぞれの子供の体に最適な姿勢で例えば寝転がる等の状態で3時間の自由な学び方をし、さらに常駐する針師やマツサージ師や栄養士等と日々5時間のリハビリをしながらでも勉強は可能であり、1年後または卒業後には走り回つて遊ぶような子供にする、そんなリハビリ治療をしながら学べる学校をいつか誰かが作る。
【先行技術文献】
【特許文献】
【０００３】
【特許文献１】特願2018−168600
【発明の概要】
【発明が解決しようとする課題】
【０００４】
病院では様々な体格の車椅子の人が立って握るハンドルの高さと前後位置とを調節する必要があり、さらに両膝関節から上の体の重さと天秤対称の大布袋の上下操作を電動にする事で看護師の負担を少しでも軽減させる。
【課題を解決するための手段】
【０００５】
上記目的を達成する為に電動リハビリ足踏み機を説明する、並べて置く2本のチヤンネル材の前部分の間を2本のアングル材でつないで固着させたふた組の枠組みを、それぞれを上段枠と下段枠とし、それら枠組みの前部分の上面それぞれに上段板と下段板とを固定した。
【０００６】
下段枠でチャンネル材の左右双方の後端面を塞ぐ直角に曲げた平角棒を後端面に固定し、それら直角に曲げた平角棒の上面と下段板上の左右双方に固定する平角板の上面との4個所それぞれに下接続パイプを立てて固着し、それら各下接続パイプの内径内それぞれにパイプ柱を差し入れて直立に固定し、それらパイプ柱の上端部にボルト固定する各上接続パイプの上端面に短尺アングル下金物それぞれを固着した。
【０００７】
上段枠でチャンネル材の左右それぞれの後端部に載せる各短尺アングル上金物と左右それぞれのチャンネル材の後端部と各短尺アングル下金物と湾曲補強材の両端部に固着する板片部分との重なりの4枚を上下にボルトで貫通固定し、その湾曲補強材の両端部を短尺アングル下金物の左右双方の後端面に固着する板片ナットにボルト固定する事で湾曲補強材でつながる上段枠を補強した。
【０００８】
上段枠上で左右双方の短尺アングル上金物の上面と上段板上の左右双方の上面との4個所に固着させる短尺チャンネルそれぞれに矢倉パイプの下端に固着させた接続板片をボルト固定する事で4本の矢倉パイプの上端それぞれを上段枠の中心上に分散配置し、配置させた右側の矢倉パイプの上端それぞれを右異形アングルの下辺に固定し、左側の上端それぞれには左異形アングルの下辺に固定し、それら右異形アングルと左異形アングルとの縦の中溝それぞれに矢倉ボルトの両端部を嵌め入れてボルトで固定し、その矢倉ボルトに右外輪溝付きベアリングと左外輪溝付きベアリングとを固定した。
【０００９】
車椅子の人の右装着帯と左装着帯とに付ける右紐と左紐とを右外輪溝付きベアリングと左外輪溝付きとにそれぞれ架けて下げ、下げた右紐と左紐とを上段板上で真横に配置させる長尺シャフトに固定する右溝付きリングと左溝付きリングとにもそれぞれ架け下げるとともに上段板下の大布袋を吊り下げし、そして複数個のショット玉を入れた1ｋｇ袋又は3ｋｇ袋の各小袋を天秤対称の車椅子の人が立てるまで大布袋に入れ、立てた大布袋の重さを介護補助力とした。
【００１０】
上段板上の長尺シャフトの左端部はベアリングユニットに固定し、右端部を保持する減速機にはブレーキ付きギアモータを連結し、その長尺シャフトに固着するする右巻きドラムと左巻きドラムとは右溝付きリングの左側と左溝付きリングの右側とに位置する。  
【００１１】
上段板上の中心位置に不等辺角管を前後が開放する状態で固定し、不等辺角管の左右方向の内幅と同寸法の外径の高さ維持パイプの複数を不等辺角管内に積み重ねて固着し、それら高さ維持パイプの内径芯の高さで右側面と接する不等辺角管の各右側面との重なりそれぞれの左右方向に穴を貫通し、それらの穴の位置に合せて各ナツトを不等辺角管の右外側面に固着し、それらナツトそれぞれにねじ入れるクランプノブの先端を各高さ維持パイプの内周面の内側に出せるようにした。
【００１２】
各高さ維持パイプの内径内に差し入れできる外輪パイプの外周には複数の各外周溝を一周加工し、その外輪パイプの内径内に差し入れて回転自在に固定させるシャフトの前端部にハンドル部材を取り付けてハンドルと外輪パイプとシャフトとを一体にし、それら一体構成部材の外輪パイプ部分を車椅子の人がハンドルを持つ高さに対応する高さ維持パイプに差し入れる事でハンドルの高さを決定し、その外輪パイプの複数の外周溝でハンドルを持つ手の前後位置の外周溝にクランプノブの先端をねじ入れ当てる事でハンドルの前後位置を決定し、そのハンドルの左右それぞれに固着させる右巻き輪と左巻き輪とに巻き下げる右膝紐と左膝紐とを両膝関節の左右双方に連結し、それら右膝紐と左膝紐との中間位置それぞれに複数の引張コイルバネを取り付けた。
【００１３】
正転スイッチにより起動されるブレーキ付きギアモータの回転は減速機を介して長尺シャフトを回し、回る長尺シャフトに固着する右巻きドラムと左巻きドラムとに巻き下げる右巻き紐と左巻き紐との下端に付けた大布袋は低速で上昇し、上昇する大布袋を吊り下げる右紐と左紐とは上段板上の右溝付きリングと左溝付きリングとの外輪溝を転がしながら上昇し、さらに右外輪溝付きベアリングと左溝付きベアリングとに架け下げる右紐と左紐との下端に付けた各フックは患者の眼前に下がり、そこで停止スイッチを押して停止させる各フックを車椅子の人の左右の装着帯に架け留めし、そこで逆転スイッチを押す事で下がる大布袋の重さにより力学的平衡状態になっている車椅子の人はゆっくり立ち上がり、立った状態で停止ボタンを押す事で立った状態を維持し、そこでハンドルを握る両手の左右双方を交互に上下する事でハンドルに固定する右巻き輪と左巻き輪とに連結する両膝関節の左右双方は交互に上下し足踏みして使用する、車椅子の人が立って握るハンドルの高さと前後の位置とを調節でき、電動で上下させる大布袋の重さによる力学的平衡状態になっている車椅子の人を立ち座りさせて介護補助力を計測する事で立ち上がる脚力を計算し右膝紐と左膝紐とに付けた複数の引張コイルバネの伸縮状態で足を上げる筋力を推定できる電動リハビリ足踏み機。
【発明の効果】
【００１４】
病院のように様々な体格の人の介護補助力を測定し立ち上がる脚力を計算し左右の足を上げる筋力を推定する等の診察手間を少しでも軽減する為に電動にし、さらに車椅子の人が立って両手で握るハンドルの高さと前後の位置とを調節できるようにして多くの患者に対応できるようにし、さらに両膝関節から上の体の重さがゼロｋｇの状態では長時間の足踏みでも足は疲れにくく、その足踏みのリハビリで尾てい骨回りの毛細血菅網や神経網が少しでも回復する可能性がある。
【図面の簡単な説明】
【００１５】
【図１】上段枠と下段枠との斜視図
【図２】電動リハビリ足踏み機の斜視図
【図３】電動リハビリ足踏み機の側面図
【図４】湾曲補強材を取り外した状態の電動リハビリ足踏み機の背面図
【図５】不等辺角管内に積み重ねた外輪パイプの1本にシャフトを入れた状態の断面図
【図６】ハンドルの断面図と部品図
【図７】上段枠の後端部の分解部品斜視図
【図８】下段枠の後端部の分解部品斜視図
【図９】大布袋と右布袋と左布袋との斜視図と一部断面図と装着帯の一部説明図
【発明を実施するための形態】
【００１６】
本発明の一実施形態に係る電動リハビリ足踏み機を説明する、並べて置く2本のチャンネル材Tの前部分の間を2本のアングル材TAでつないで固着させたふた組の枠組みを、それぞれ上段枠と下段枠とし、それら上段枠と下段枠との前部分の上面それぞれに上段板UPと下段板CPとを載せて固定した。
【００１７】
下段枠のチャンネル材Tの後端面それぞれを塞ぐ直角に曲げた平角棒TMを後端部に載せて固定し、その直角に曲げた平角棒TMの上面と下段板CP上の左右双方に固定する平角板CPPの上面との4個所それぞれに立てて固着する各下接続パイプCSPの内径内それぞれに各パイプ柱PHを差し入れて直立に固定し、それらパイプ柱PHの上端部にそれぞれ固定した各上接続パイプUSPの上端面それぞれに各短尺アングル下金物TACそれぞれを固着した。
【００１８】
上段枠でチャンネル材Tの左右それぞれの後端部に載せる短尺アングル上金物TAUと短尺アングル下金物TACとでチャンネル材Tの後端部を挟んだ重なりを上下にボルトで貫通固定し、その短尺アングル下金物TACの左右双方の後端面に固着する板片ナットPNに湾曲補強材WHの両端部をボルト固定し、さらに湾曲補強材WHの両端部に固着させた板片部分WPを左右双方それぞれの短尺アングル上金物TAUに載せてボルトで固定し上段枠を補強した。
【００１９】
上段枠上で左右双方の短尺アングル上金物TAUの上面と上段板UP上の左右双方の上面との4個所に固着させる短尺チャンネルYKそれぞれに矢倉パイプYの下端に固着させた接続板片YSをボルト固定する事で4本の矢倉パイプYの上端それぞれを上段枠の中心上に分散配置し、配置させた右側の矢倉パイプYの上端それぞれを右異形アングルYAMの下辺にボルト固定し、左側の上端それぞれは左異形アングルYAHの下辺にボルト固定し、それら右異形アングルYAMと左異形アングルYAHとの縦の中溝YANそれぞれに矢倉ボルトYBの両端部を嵌め入れてボルトで固定し、矢倉ボルトYBに右外輪溝付きベアリングYRMと左外輪溝付きベアリングYRHとを固定した。
【００２０】
車椅子の人の右装着帯EMと左装着帯EHとに掛け留める右紐HMと左紐HHとを、矢倉ボルトYBの右外輪溝付きベアリングYRMと左外輪溝付きベアリングYRHとにそれぞれ架けて下げ、下げた右紐HMと左紐HHとを上段板UP上で真横に配置させた長尺シャフトSSに固定する右溝付きリングRMと左溝付きリングRHとにもそれぞれ架け下げるとともに上段板UP下を上下させる大布袋Wを吊り下げし、そして複数個のショット玉を入れた1ｋｇ袋1G又は3ｋｇ袋3Gの小袋を天秤対称の車椅子の人が立てるまで大布袋Wに入れる事で立たせ、立てた大布袋Wの重さを介護補助力とした。
【００２１】
上段板UP上の長尺シャフトSSの左端部をベアリングユニットBYで固定し、右端部を保持する減速機MGにはブレーキ付きギアモータMを連結し、その長尺シャフトSSに固定する右溝付きリングRMの中心側に右紐巻きドラムRDMを固着し左溝付きリングRHの中心側には左紐巻きドラムRDHを長尺シャフトSSに固着した。
【００２２】
上段板UP上の中心位置に不等辺角管Fを前後が解放する状態で固定し、その不等辺角管Fの左右方向における内幅と同寸法の外径を有する高さ維持パイプFTの複数を不等辺角管F内に積み重ねて固着し、それら高さ維持パイプFTの内径芯の高さの右側面と接する不等辺角管Fの各右側面との重なりをレーザーで左右方向に穴を貫通し、レーザーの穴それぞれに各ナットFNの穴を合せて不等辺角管Fの右外側面に各ナットFNを固着し、各ナットFNにそれぞれねじ入れるクランプノブFNKの先端を各高さ維持パイプFTの内周面の内側に出せるようにした。
【００２３】
各高さ維持パイプFTの内径内に差し入れる外輪パイプSWの外周に複数の外周溝SWMを一周加工し、その外輪パイプSWの内径内に差し入れて回転自在に固定するシャフトSの前側の先端部にハンドルQH部材等を取り付ける事でハンドルQHと外輪パイプSWとシャフトSとを
一体にし、車椅子の人が立って両手で握るハンドルQHの前後位置に対応する外周溝SWMにクランプノブFNKの先端をねじ入れ当ててハンドルQHの前後位置を決定し、さらに外輪パイプSWをハンドルQHを持つ高さに対応する維持パイプFTに差し入れる事でハンドルQHの高さを決定し、そのハンドルQHの左右それぞれに固定する右巻き輪QHMと左巻き輪QHHとに巻き下げる右膝紐QQMと左膝紐QQHとを両膝関節の左右双方に連結し、さらに足踏みする足への衝撃を緩和する為に右膝紐QQMと左膝紐QQHとの中間それぞれに複数の引張コイルバネQWを取り付けし、それら複数の引張コイルバネの伸縮状態で足を上げる筋力を推定した。
【００２４】
上段枠上の右側の正転スイッチを起動させて回るブレーキ付きギアモータMの回転は減速機MGを介して長尺シャフトSSを回し、回る長尺シャフトSSに固着する右巻きドラムRDMと左巻きドラムRDHとに巻き下がる右巻き紐DMと左巻き紐DHとに連結する大布袋Wは低速で上昇し、上昇する大布袋Wに連結させた右紐HMと左紐HHとは右溝付きリングRMと左溝付きリングRHとの外輪溝を転がしながら上昇し、さらに右外輪溝付きベアリングYRMと左外輪溝付きベアリングYRHとに架けて下げる右紐HMと左紐HHとの下端に付けた各フックFは車椅子の人の眼前にまで下がり、そこで押す停止スイッチで大布袋Wの上昇とフックFの下降を止め、そこで左右のフックFを車椅子の人の右装着帯EMと左装着帯EHとに架け留めし、そこで逆転スイッチを押す事で下がる大布袋Wの重さにより力学的平衡状態となっている車椅子の人がゆっくり立ち上がった時に停止スイッチを押して立った状態を維持し、その状態でシャフトSを支点にするハンドルQHの左右を握る両手を左右交互に上げ下げする事でハンドルQHに固定させた右巻き輪QHMと左巻き輪QHHとに巻き下がる右膝紐QQMと左膝紐QQHとに連結させた両膝関節は左右交互に上下し足踏みし、そのハンドルQHの高さと前後の位置とを調節し、右紐HMと左紐HHと右巻き紐DMと左巻き紐とに吊り下がる大布袋Wを電動で上下操作させて大布袋Wと力学的平衡状態の車椅子の人の介護補助力を測定する事で立ち上がる脚力を計算し、さらに引張コイルバネQWの伸縮状態で足踏みの足を上げる筋力を推定できる電動リハビリ足踏み機。
【符号の説明】
【００２５】
T      チャンネル材
TA    アングル材
UP    上段板
CP    下段板
M      ブレーキ付きギアモータ
MG    減速機
MY    ベアリングユニット
TM    直角に曲げた平角棒
USP    上接続パイプ
CSP    下接続パイプ
TN      点付け溶接ナット
TNA    点付け溶接穴
TMN    ナット平角棒
PH      パイプ柱
TAU    短尺アングル上金物
TAC    短尺アングル下金物
PN      板片ナット
WH    湾曲補強材
WP    湾曲補強材の両端部に固着させた板片
Y      矢倉パイプ
YK    短尺チャンネル
YS    矢倉パイプの下端に固着させた接続板片
YN    矢倉パイプの上端に固着させた上端ナット
YAM  右異形アングル
YAH  左異形アングル
YAN  左右それぞれの異形アングルの中溝
YB    矢倉ボルト
YRM  右外輪溝付きベアリング
YRH  左外輪溝付きベアリング
EM    右装着帯
EH    左装着帯
EV    膝関節装着帯
HM    右紐
HH    左紐
FF    右紐と左紐との下端に付けたフック
RM    右溝付きリング
RH    左溝付きリング
W    大布袋
1G    ショット玉を1ｋｇ入れた小袋
2G    ショット玉を2ｋｇ入れた小袋
3G    ショット玉を3ｋｇ入れた小袋
5G    左官用の珪砂を5ｋｇ入れた袋
GW    角形状に組合せたU字溝を有する異形アングル枠
GN    大布袋の上端部の布生地を複数回巻重ねた平角棒
HHH  複数回巻重ねた布生地を手縫いするハイテク繊維糸
GU    U字溝を有する異形アングルのU字溝
F      上段板上の中心に配置する不等辺角管
FT    不等辺角管内に積み重ねる高さ維持パイプ
FN    不等辺角管の右側面に固着するナット
FNK  クランプノブ
SW    内径内にシャフトを固定する外輪パイプ
SWM  外輪パイプの外周に一周させた複数の外周溝
S      シャフト
SQ    シャフトの先端部に固着させた第一パイプ
SQQ  第一パイプの先端部の内径内に固着させた第2パイプ
SKN  第一パイプの先端部の外周に固着させた異形ナット
SKB  異形ナットにねじ入れてハンドルの回転を止めるナット
SKA  回転止めナットの先端をねじ入れる右巻き輪と左巻き輪との側面に開けた穴
SQB  第2パイプの先端に固着させた短尺ボルト
SQN  短尺ボルトにねじ留めるナット
QH    第2パイプの外径に回転自在に嵌め被せたハンドル
QHM  ハンドルに固着させた右巻き輪
QHH  ハンドルに固着させた左巻き輪
QQM  右巻き輪に巻き留めた右膝紐
QQH  左巻き輪に巻き留めた左膝紐
QW    右膝紐と左膝紐との長さの中間に付けた複数の引張コイルバネ
QWH  引張コイルバネが許容長さ以上に伸びないようにする紐部分
QWK  引張コイルバネの両端に付けた取り付け金物
【手続補正２】
【補正対象書類名】特許請求の範囲
【補正対象項目名】全文
【補正方法】変更
【補正の内容】
【特許請求の範囲】
【請求項１】
チャンネル材を2本並べた先端部を2本のアングル材でつなぎ固着させたふた組の枠組みを、それぞれ上段枠と下段枠とし、それら上段枠と下段枠との先端部それぞれの上面に上段板と下段板とを固定し、その下段枠のチャンネル材の後端面の左右双方それぞれに直角に曲げた平角棒を固定し、それら直角に曲げた平角棒の上面と下段板上の左右双方に固定する平角板の上面との4個所それぞれに固着する下接続パイプの内径内にパイプ柱を入れて直立に固定し、それらパイプ柱の上端部それぞれにボルト固定する各上接続パイプの上端面に各短尺アングル下金物それぞれを固着し、上段枠で左右双方のチャンネル材の後端部分それぞれに載せる短尺アングル上金物とチャンネル材の後端部分と短尺アングル下金物との重なりの上下をボルトで貫通固定し、その上段枠を補強する湾曲補強材の両端部を左右双方の短尺アングル下金物と短尺アングル上金物とに固定し、上段枠上で左右双方の短尺アングル上金物の上面と上段板上の左右双方の上面との4個所に固着させる短尺チャンネルそれぞれに矢倉パイプの下端に固着させた接続板片を固定する事で各矢倉パイプの上端を上段枠の中心上に分散配置し、配置させた右側の矢倉パイプの上端それぞれを右異形アングルの下辺に固定し、左側の上端それぞれは左異形アングルの下辺に固定し、それら右異形アングルと左異形アングルとの縦の中溝それぞれに両端部を嵌め入れて固定する矢倉ボルトには右外輪溝付きベアリングと左外輪溝付きベアリングとを固定し、車椅子の人の右装着帯と左装着帯とに掛け留める右紐と左紐とを、右外輪溝付きベアリングと左外輪溝付きベアリングそれぞれに架け下げ、下げた右紐と左紐とを上段板上の長尺シャフトに固定する右溝付きリングと左溝付きリングとにもそれぞれ架け下げるとともに、上段板下の大布袋を吊り下げし、そして複数個のショット玉を入れた1ｋｇ袋又は3ｋｇ袋の各小袋を車椅子の人が立てるまで入れた大布袋の重さを介護補助力とし、左端部をベアリングユニットで固定する長尺シャフトの右端部を保持する減速機にはブレーキ付きギアモータを連結し、その長尺シャフトに固着する右巻きドラムと左巻きドラムとに巻き下げる右巻き紐と左巻き紐とで大布袋を吊り下げし、上段板上の中心位置に前後を開放する状態で固定する不等辺角管の左右方向における内幅と同寸法の外径を有する高さ維持パイプの複数を不等辺角管内に積み重ねて固着し、それら高さ維持パイプの内径芯の高さそれぞれの右側面と接して重なる不等辺角管の各右側面との左右方向に穴を貫通し、各穴の位置で不等辺角管の右外側面に各ナットを固着し、各ナットにそれぞれねじ入れるクランプノブの先端を各高さ維持パイプの内周面の内側に出せるようにし、その高さ維持パイプの内径内に差し入れる外輪パイプの外周に複数の外周溝を一周加工し、その外輪パイプの内径内に回転自在に固定するシャフトの前端部分にハンドル部材を固定する事でシャフトと外輪パイプとハンドルとを一体にし、車椅子の人が立った状態で掴むハンドルの高さに対応する維持パイプに外輪パイプを入れる事でハンドルの高さを決定し、さらに車椅子の人が立った状態で掴むハンドルの前後位置に対応する外周溝にクランプノブの先端を押し入れる事でハンドルの前後位置を決定し、さらにハンドルの左右それぞれに固定する右巻き輪と左巻き輪とに巻き下げて両膝関節に連結する右膝紐と左膝紐との中間部分それぞれに複数の引張コイルバネを付けて上下する足の衝撃を緩和し、そして正転スイッチにより起動されるブレーキ付きギアモータの回転は、長尺シャフトに固着させた右巻きドラムと左巻きドラムとを減速機を介して回転させ、右ドラムと左ドラムとのそれぞれに巻き下がる右巻き紐と左巻き紐との下端に付けた大布袋は低速で上昇し、その上昇で右紐と左紐とは上段板上の右溝付きリングと左溝付きリングとの外輪溝を転がしながら上がり、さらに右外輪溝付きベアグと左溝付きベアリングとに架け下げる右紐と左紐との下端の各フックは車椅子の人の眼前まで下がり、そこで停止スイッチを押して止まる各フックを車椅子の人の左右の装着帯に架け留めし、そこで逆転スイッチを押す事で下がる大布袋の重さにより力学的平衡状態となっている車椅子の人はゆっくり立ち上がった状態で停止スイッチを押す事で立った状態を維持し、その状態でハンドルを握る両手を左右交互に上下させて足踏みして使用する、車椅子の人が立って握るハンドルの高さと前後位置とを調節でき、電動で上下させる大布袋の重さにより力学的平衡状態となっている車椅子の人を立ち座りさせて介護補助力を計測する事で立ち上がる脚力を計算し右膝紐と左膝紐とに付けた引張コイルバネの伸縮状態で足を上げる筋力を推定できる電動リハビリ足踏み機。